(57)【要約】【課題】  複数のＵＳＢフラッシュメモリをケース本体内に入れ、安全・安心して持ち運びできる。  また、取付部にＵＳＢフラッシュメモリのコネクタを差し込むだけで、保持でき、衝突等を受けても破壊の恐れはない。  さらに、ベルト等に通して持ち運ぶことができ、取り出し、取り付けが簡単にできる。  さらにまた、大きさ（高さ４ｃｍ〜８ｃｍ）の異なるＵＳＢフラッシュメモリも確実に蓋をして保護できるＵＳＢフラッシュメモリ用携帯ケースを提供するものである。【解決手段】  開閉自在蓋を設けてなるケース本体内に、ＵＳＢフラッシュメモリを着脱自在に取り付けるための取付部を設けてなることを特徴とするＵＳＢフラッシュメモリ用携帯ケース。【選択図】図１
0003122999.tif 000002
【実用新案登録請求の範囲】
【請求項１】
開閉自在な蓋を設けてなるケース本体内に、ＵＳＢフラッシュメモリを着脱自在に取り付けるための取付部を設けてなることを特徴とするＵＳＢフラッシュメモリ用携帯ケース。
【請求項２】
取付部を、ケース本体内の底面に、複数箇所設けてなることを特徴とする請求項１記載のＵＳＢフラッシュメモリ用携帯ケース。
【請求項３】
取付部が、ＵＳＢフラッシュメモリのプラグの外周を保持するキャップであることを特徴とする請求項１又は２記載のＵＳＢフラッシュメモリ用携帯ケース。
【請求項４】
ケース本体に、凹凸テープを設けてなることを特徴とする請求項１、２又は３記載のＵＳＢフラッシュメモリ用携帯ケース。
【請求項５】
ケース本体に、ベルト通し部を設けてなることを特徴とする請求項１、２、３又は４記載のＵＳＢフラッシュメモリ用携帯ケース。
【請求項６】
蓋を、ＵＳＢフラッシュメモリの大きさに合わせて上下動させ、所要の位置で止めてなることを特徴とする請求項１、２、３、４又は５記載のＵＳＢフラッシュメモリ用携帯ケース。
【考案の詳細な説明】
【技術分野】
【０００１】  本考案は、主にＵＳＢフラッシュメモリを持ち歩く際に、安全・安心して携帯できるＵＳＢフラッシュメモリ用携帯ケースに関するものである。
【背景技術】
【０００２】  従来の技術として、弾性体から構成され、端部に形成される開口の周囲に段部が形成され、ＩＣメモリカードを収容する角筒状の本体と、前記段部に嵌合される段部を有し、前記本体に嵌合される蓋体と、前記本体と蓋体とを開閉自在に連結するヒンジ部材とを備え、前記本体と蓋体の段部には、互いに係合する凸条と凹溝がそれぞれ形成されていることを特徴とするＩＣメモリカードケースがある。（特許文献１照）【０００３】  また、別の従来技術として、回路板、コネクタ、外殻より構成されるメモリカード携帯ケースにおいて、特定のメモリカードの電気的ジョイント個所に対応した弾力を具有する端子及び必要な電子エレメントが直接設けられている回路板と、電気設備に挿入されてシグナルデータ伝送を行なうための着脱式のコネクタと、を具有し、該コネクタは該回路板の一端に突出した形態とすると共に該回路板とコネクタの外囲には少なくとも要部を覆う外殻が設けられ、メモリカードが該回路板上に挿入されることにより該端子が電気的に接続されるようにしてなることを特徴とするメモリカード携帯ケースがある。（特許文献２照）
【特許文献１】  実開平７−４０５７４号公報
【特許文献２】  実用新案登録第３１０６６１２号
【考案の開示】
【考案が解決しようとする課題】
【０００４】  上記前者のＩＣメモリーカードケースにおいては、平板上のＩＣメモリーカードを入れて携帯するケースであり、本考案のようなＵＳＢフラッシュメモリを移動することなく保持して携帯することはできない。【０００５】  また、上記後者においては、回路板にコネクタを設けたものをメモリカードスロット内に入れ、端部蓋にて保護してなるもので、１本に１つのケースが必要となり、複数のメモリーカード（ＵＳＢ連結ポート等）を１つのケースに収納することができず、不便である。【０００６】  本考案は、上記の問題点に鑑みなされたもので、その目的は、複数のＵＳＢフラッシュメモリをケース本体内に入れ、安全・安心して持ち運びできる。
また、取付部にＵＳＢフラッシュメモリのコネクタを差し込むだけで、保持でき、衝撃等を受けても破壊の恐れはない。
さらに、ベルト等に通して持ち運ぶことができ、取り出し、取り付けが簡単にできる。
さらにまた、大きさ（高さ４ｃｍ〜８ｃｍ）の異なるＵＳＢフラッシュメモリも確実に蓋をして保護できるＵＳＢフラッシュメモリ用携帯ケースを提供するものである。
【課題を解決するための手段】
【０００７】  本考案は、上記の目的を達成するための手段として、開閉自在な蓋を設けてなるケース本体内に、ＵＳＢフラッシュメモリを着脱自在に取り付けるための取付部を設けてなる。
また、取付部を、ケース本体内の底面に、複数箇所設けてなる。
そして、取付部が、ＵＳＢフラッシュメモリのプラグの外周を保持するキャップである。
さらに、ケース本体に、凹凸テープを設けてなる。
さらにまた、ケース本体に、ベルト通し部を設けてなる。
そして、蓋を、ＵＳＢフラッシュメモリの長さに合わせて上下動させ、所要の位置で止めてなることを特徴とする。
【考案の効果】
【０００８】１）、ケース本体内に、ＵＳＢフラッシュメモリを着脱自在に取り付けるための取付部を設けることにより、簡単な構造でありながら確実に保持できる。
２）、取付部をケース本体内の底面に、複数箇所設けることにより、必要なＵＳＢフラッシュメモリを自立させて保持することができる。
３）、取付部を、キャップとすることにより、ＵＳＢフラッシュメモリのプラグの外周を保護することができ、水やホコリ等から守ることができる。
４）、ケース本体内に、ベルト通し部を設けることにより、ベルトに取り付け、携帯できると共に、出し入れも簡単に行なうことができる。
５）、凹凸テープを設けることにより、ＵＳＢフラッシュメモリの大きさ（長さ）に合わせて蓋を開閉することができるため便利である。
【考案の実施するための最良の形態】
【０００９】  以下、本考案の実施形態を図１〜図４に基づいて説明する。
１は、ＵＳＢフラッシュメモリ用携帯ケースである。
２は、皮製あるいは合成樹脂製等によるケース本体で、箱状のケース部２ａと舌状の蓋２ｂとにより形成され、ケース部２ａの表面及び蓋２ｂの先端裏面に凹凸テープ２ｃを設けてある。
３は、上記ケース本体２の底面に、複数箇所（この実施例の場合、３箇所）立設してなるキャップによる取付部で、ＵＳＢフラッシュメモリのプラグの外周を保持することができ、水やホコリから守ることができる。
４は、上記ケース本体の背面に設けてなるベルト通し部である。
【００１０】  つぎに、ＵＳＢフラッシュメモリ用携帯ケース１の使用例について述べる。
ケース本体２内のキャップによる取付部３内にＵＳＢフラッシュメモリＵのプラグＵ１を差し込み自立させる。
この状態でベルト通し部４にベルト（図示せず）を通し、携帯するものである。
【００１１】  なお、上記実施例において、ケース本体の外形形状や大きさ、取付部の形状や数等は、必要に応じて決めればよい。
【図面の簡単な説明】
【００１２】
【図１】  本考案の実施形態を示すＵＳＢフラッシュメモリ用携帯ケースの側面図。
【図２】  本考案の実施形態を示すＵＳＢフラッシュメモリ用携帯ケースの正面図。
【図３】  本考案の実施形態を示すＵＳＢフラッシュメモリ用携帯ケースの横断平面図。
【図４】  本考案の実施形態を示すＵＳＢフラッシュメモリ用携帯ケースの使用状態の要部側面図。
【符号の説明】
【００１３】  １−−−ＵＳＢフラッシュメモリ用携帯ケース
２−−−ケース本体
２ａ−−ケース部２ａ
２ｂ−−蓋
２ｃ−−凹凸テープ
３−−−取付部
４−−−ベルト通し部
Ｕ−−−ＵＳＢフラッシュメモリ
Ｕ１−−プラグ
【図１】
0003122999.tif 000003
【図２】
0003122999.tif 000004
【図３】
0003122999.tif 000005
【図４】
0003122999.tif 000006